(57)【要約】【課題】記録されている画像が容易には第３者に公開されることのない記録装置を提供すること。【解決手段】撮像装置１００にアクセサリ装置２００が装着されている状態で（Ｓ１０６）、外部装置３００から無線通信によって画像ファイルがアクセサリ装置２００に送信された際に（Ｓ１０７）、アクセサリ装置２００からの画像ファイルが撮像装置１００において暗号化され（Ｓ１０８）、暗号化された画像ファイルがアクセサリ装置２００に記録される（Ｓ１０９）。暗号化された画像ファイルを復号するための暗号鍵は撮像装置１００に記録される（Ｓ１１０）。【選択図】図２
2012023507.tif 000002
【特許請求の範囲】
【請求項１】
第１の外部装置と有線通信するための有線通信部と、
第２の外部装置と無線通信するための無線通信部と、
上記有線通信部によって上記第１の外部装置から送信された第１の画像を記録するとともに、上記無線通信部によって上記第２の外部装置から送信された第２の画像を暗号化した状態で記録する記録部と、
を具備することを特徴とする記録装置。
【請求項２】
上記暗号化された第２の画像を復号するための暗号鍵は、上記第１の外部装置に記録され、
上記暗号化された第２の画像は、上記第１の外部装置と当該記録装置とが有線通信部によって接続された際に、上記第１の外部装置において再生されることを特徴とする請求項１に記載の記録装置。
【請求項３】
上記第２の画像は、上記第１の外部装置において暗号化されることを特徴とする請求項１又は２に記載の記録装置。
【発明の詳細な説明】
【技術分野】
【０００１】
本発明は、通信機能を有する記録装置に関する。
【背景技術】
【０００２】
近年、デジタルカメラ等の撮影機能を有する機器（撮影装置）が普及している。また、近年の撮影装置は、当該撮影装置による撮影で得られた画像データを他の機器に転送できるものが多くなっている。また、近年、撮影装置に外部の記録装置を接続して、記録装置内の画像を撮影装置で閲覧できるようになっている。
【０００３】
デジタル化された画像は、通信によって様々な機器に転送可能であり、また、様々な機器で再生可能であるため、皆で画像を共有するような用途に適している。このような画像転送に関する技術の１つとして、例えば特許文献１の技術がある。
【先行技術文献】
【特許文献】
【０００４】
【特許文献１】特開２００８−９２０７５号公報
【発明の概要】
【発明が解決しようとする課題】
【０００５】
ここで、記録装置内の画像は他の機器に簡単に転送できるので、ユーザが意図しない画像までもが簡単に他者に公開されてしまうおそれがある。特許文献１等の従来の技術では、このような記録装置内の画像のセキュリティに対する対策が十分ではないと考えられる。また、記録装置へのアクセスをパスワード等によって制限する技術も提案されているが、この場合には記録装置にアクセスするためにはユーザが逐一パスワード等を入力する必要があり、ユーザに煩わしさを感じさせるおそれもある。
【０００６】
本発明は、上記の事情に鑑みてなされたもので、記録されている画像が容易には第３者に公開されることのない記録装置を提供することを目的とする。
【課題を解決するための手段】
【０００７】
上記の目的を達成するために、本発明の一態様の記録装置は、第１の外部装置と有線通信するための有線通信部と、第２の外部装置と無線通信するための無線通信部と、上記有線通信部によって上記第１の外部装置から送信された第１の画像を記録するとともに、上記無線通信部によって上記第２の外部装置から送信された第２の画像を暗号化した状態で記録する記録部と、を具備することを特徴とする。
【発明の効果】
【０００８】
本発明によれば、記録されている画像が容易には第３者に公開されることがない。
【図面の簡単な説明】
【０００９】
【図１】本発明の一実施形態に係る記録装置を有する画像記録システムの構成について説明するための図。
【図２】本発明の一実施形態における撮像装置の動作を示すフローチャート。
【図３】アクセサリ装置に暗号化部を持たせた場合の変形例の動作を示すフローチャート。
【発明を実施するための形態】
【００１０】
以下、図面を参照して本発明の実施形態を説明する。  
図１は、本発明の一実施形態に係る記録装置を有する画像記録システムの構成について説明するための図である。本画像記録システムは、図１（ａ）に示すように、撮像装置１００と、アクセサリ装置２００とを有している。記録装置としてのアクセサリ装置２００は、図１（ｂ）に示すように、撮像装置１００に対して着脱自在に構成されている。撮像装置１００にアクセサリ装置２００が装着された場合には、撮像装置１００とアクセサリ装置２００とが通信自在に接続される。さらに、アクセサリ装置２００は、撮像装置１００から分離した状態で持ち運ぶことも可能である。
【００１１】
第１の外部装置としての機能を有する撮像装置１００は、撮像部１０１と、表示部１０２と、記録部１０３と、操作部１０４と、計時部１０５と、通信部１０６と、暗号化部１０７と、制御部１０８とを有している。
【００１２】
撮像部１０１は、光学系及び撮像素子等を有している。この撮像部１０１は、光学系を介して撮像素子に結像された被写体の像を、光電変換によって電気信号（画像信号）に変換する。さらに、撮像部１０１は、アナログ信号としての画像信号をデジタル信号（画像データ）に変換することも行う。表示部１０２は、例えば液晶ディスプレイ（ＬＣＤ）や有機エレクトロルミネッセンスディスプレイ（ＯＥＬＤ）等の表示部であり、各種の画像を表示する。記録部１０３は、例えば撮像装置１００に内蔵の不揮発性メモリであり、制御部１０８によって生成された画像ファイル等の各種のデータを記録する。なお、記録部１０３を撮像装置１００に対して着脱自在に構成しても良い。操作部１０４は、ユーザが撮像装置１００の操作を行うための各種の操作部である。操作部１０４としては、例えば撮像装置１００の電源をオン又はオフするための電源ボタン、撮像装置１００に対して撮影実行の指示を行うためのレリーズボタン、撮像装置１００の動作モードを設定するためのモードボタン、撮像装置１００における各種の選択を行うための選択ボタン等の種々の操作部が含まれる。操作部１０４の操作がなされた場合に、制御部１０８は、操作部１０４の操作に応じた処理を実行する。計時部１０５は、撮像装置１００において各種の時間を計時する。通信部１０６は、撮像装置１００がアクセサリ装置２００と通信するための通信インターフェースを備えている。通信部１０６は、例えばアクセサリ装置２００と有線通信を行うための通信インターフェースとして、例えばユニバーサルシリアルバス（ＵＳＢ）インターフェースを備えている。勿論、ＵＳＢインターフェース以外を持たせるようにしても良い。暗号化部１０７は、撮像装置１００にアクセサリ装置２００が接続された際にアクセサリ装置２００から送信されてくる画像ファイルを暗号化する。また、暗号化部１０７は、暗号化された画像ファイルを復号することも行う。なお、暗号化の方式としては、例えばＲＳＡ等の公開鍵暗号方式を用いることができるが、これに限るものではなく共通鍵暗号方式等を用いるようにしても良い。
【００１３】
制御部１０８は、撮像装置１００における画像表示に関する制御や画像記録に関する制御、暗号化部１０７の制御等の、撮像装置１００における全体的な動作を制御する。また、制御部１０８は、画像処理部としての機能も有しており、撮像部１０１から取り込んだ画像データに対して表示用の画像処理又は記録用の画像処理を施す。
【００１４】
アクセサリ装置２００は、記録部２０１と、有線通信部２０２と、無線通信部２０３とを有している。  
記録部２０１は、撮像装置１００で得られた画像をさらに画像処理（リサイズ処理）することによって得られる画像ファイルや、携帯電話機等の撮像装置１００とは異なる外部装置３００から送信された画像ファイル等の各種のデータを記録する。有線通信部２０２は、例えば撮像装置１００と有線通信を行うための通信インターフェースとして、例えばＵＳＢインターフェース等の有線通信用のインターフェースを備えている。無線通信部２０３は、第２の外部装置としての外部装置３００と赤外線通信やブルートゥース（登録商標）通信等の無線通信を行うためのインターフェースを備えている。
【００１５】
外部装置３００は、例えば携帯電話機であり、アクセサリ装置２００に画像ファイルを送信する。図１（ａ）の例では、外部装置３００の例として携帯電話機を示している。しかしながら、外部装置３００は、携帯電話機に限るものではなく、無線通信によって画像ファイルをアクセサリ装置２００に送信できる機器であれば良い。
【００１６】
このように、アクセサリ装置２００には、撮像装置１００による撮影によって得られた画像ファイルや外部装置３００との無線通信によって取得された画像ファイルを記録できる。このため、ユーザは、アクセサリ装置２００を携帯型の電子アルバムとして利用できる。しかしながら、アクセサリ装置２００内の画像ファイルを簡単に再生できるようにしてしまうと、例えば外部装置３００のユーザが撮像装置１００のユーザにのみ画像の閲覧を許可していた場合であっても、アクセサリ装置２００内の画像が第３者に見られてしまうという不都合が生じてしまう可能性がある。
【００１７】
本実施形態では、図１（ｂ）のように、撮像装置１００にアクセサリ装置２００が装着されている場合にはアクセサリ装置２００内の全ての画像の閲覧を可能とする。一方、図１（ｃ）のように、アクセサリ装置２００内の画像ファイルを例えばテレビジョン受像機等の撮像装置１００とは異なる外部装置４００で再生しようとした場合には一部の画像ファイルを再生できないようにする。
【００１８】
図２は、本実施形態における撮像装置１００の動作を示すフローチャートである。図２において、ユーザの操作部１０４の操作によって、撮像装置１００の電源がオンされることによって、図２の動作が開始される。撮像装置１００の制御部１０８は、まず、撮像装置１００の動作モードが撮影モードであるか否かを判定する（Ｓ１０１）。上述したように、動作モードは、例えば操作部１０４のモードボタンの操作によって設定される。Ｓ１０１において、動作モードが撮影モードである場合に、制御部１０８は、撮影指示がなされたか否かを判定する（Ｓ１０２）。撮影指示とは、例えば操作部１０４のレリーズボタンの操作である。Ｓ１０２において、撮影指示がなされた場合に、制御部１０８は、撮影処理を行い、撮影により得られた画像ファイルを記録部１０３に記録させる（Ｓ１０３）。撮影処理として、制御部１０８は、シーンの明るさ等から撮像素子の適正露出量を算出する。そして、制御部１０８は、算出した適正露出量に従って撮像部１０１の露出動作（画像取得動作）を制御する。このような撮影処理の後、制御部１０８は、撮影処理により得られた画像データに対して各種の画像処理を施し、画像処理の結果として得られた画像ファイルを記録部１０３に記録させる。画像ファイルを記録部１０３に記録した後、制御部１０８は、現在、撮像装置１００にアクセサリ装置２００が装着されているか否かを判定する（Ｓ１０４）。Ｓ１０４において、アクセサリ装置２００が装着されている場合に、制御部１０８は、Ｓ１０３において得られた画像データをリサイズ（縮小）してアクセサリ装置２００への記録用の画像ファイルを生成し、生成したアクセサリ装置２００への記録用の画像ファイルを、通信部１０６を介してアクセサリ装置２００に送信する（Ｓ１０５）。これにより、アクセサリ装置２００の記録部２０１には撮像装置１００で得られた画像に対応したリサイズ画像がコピーされる。
【００１９】
また、Ｓ１０２において、撮影指示がなされていない場合に、制御部１０８は、現在、撮像装置１００にアクセサリ装置２００が装着されているか否かを判定する（Ｓ１０６）。Ｓ１０６において、アクセサリ装置２００が装着されている場合に、制御部１０８は、アクセサリ装置２００から画像ファイルが送信されてきたか否かを判定する（Ｓ１０７）。上述したように、アクセサリ装置２００は外部装置３００と無線通信自在になされている。そして、アクセサリ装置２００が撮像装置１００に装着されており、外部装置３００から無線通信によって画像ファイルの送信がなされた場合に、アクセサリ装置２００から撮像装置１００に画像ファイルの送信がなされる。Ｓ１０７において、アクセサリ装置２００から画像ファイルが送信されてきた場合に、制御部１０８は、送信されてきた画像ファイルを暗号化部１０７によって暗号化する（Ｓ１０８）。暗号化の後、制御部１０８は、暗号化した画像ファイルをアクセサリ装置２００に送信する（Ｓ１０９）。これにより、アクセサリ装置２００の記録部２０１には外部装置３００から受信された画像ファイルが暗号化された状態で記録される。なお、アクセサリ装置２００からは暗号化されていない状態の画像ファイルを削除しておく。暗号化した画像ファイルを送信した後、制御部１０８は、暗号化された画像ファイルを復号するための暗号鍵を、アクセサリ装置２００に送信した画像ファイルのファイル名等と対応付けて記録部１０３に記録させる（Ｓ１１０）。
【００２０】
また、Ｓ１０１において、撮影モードでない、即ち再生モードである場合に、制御部１０８は、記録部１０３に記録されている画像ファイルの一覧（サムネイル画像）を表示部１０２に表示させる（Ｓ１１１）。一覧表示の後、制御部１０８は、現在、撮像装置１００にアクセサリ装置２００が装着されているか否かを判定する（Ｓ１１２）。Ｓ１１２において、アクセサリ装置２００が装着されている場合に、制御部１０８は、例えばユーザの操作部１０４の選択ボタンの操作に従ってアクセサリ装置２００内の画像ファイルを選択するように要求がなされたか否かを判定する（Ｓ１１３）。Ｓ１１３において、アクセサリ装置２００内の画像ファイルを選択するように要求がなされた場合に、制御部１０８は、アクセサリ装置２００と通信を行い、通信の結果として得られたアクセサリ装置２００に記録されている画像ファイルの一覧（サムネイル画像）を、記録部１０３に記録されている画像ファイルの一覧に代えて表示部１０２に表示させる（Ｓ１１４）。Ｓ１１２においてアクセサリ装置２００が装着されていない場合に、制御部１０８は、Ｓ１１３、Ｓ１１４の処理をスキップする。また、Ｓ１１３においてアクセサリ装置２００内の画像ファイルの選択要求がなされていない場合に、制御部１０８は、Ｓ１１４の処理をスキップする。撮像装置１００内の画像ファイル又はアクセサリ装置２００内の画像ファイルの一覧表示の後、制御部１０８は、例えばユーザの操作部１０４の選択ボタンの操作に従って画像ファイルの選択がなされたか否かを判定する（Ｓ１１５）。Ｓ１１５において、画像ファイルの選択がなされていない場合に、制御部１０８は、Ｓ１１６〜Ｓ１１９の処理をスキップする。また、Ｓ１１５において、画像ファイルの選択がなされた場合に、制御部１０８は、選択された画像ファイルが暗号化された画像ファイルであるか否かを判定する（Ｓ１１６）。Ｓ１１６において選択された画像ファイルが暗号化された画像ファイルである場合に、制御部１０８は、この画像ファイルに対応した暗号鍵を記録部１０３から読み出す（Ｓ１１７）。その後、制御部１０８は、読み出した暗号鍵を用いて暗号化部１０７により画像ファイルを復号する（Ｓ１１８）。また、Ｓ１１６において選択された画像ファイルが暗号化された画像ファイルでない場合に、制御部１０８は、Ｓ１１７、Ｓ１１８の処理をスキップする。Ｓ１１６又はＳ１１８の後、制御部１０８は、画像ファイルを再生する（Ｓ１１９）。即ち、制御部１０８は、画像ファイル内の画像データを伸張し、伸張した画像データに基づく画像を表示部１０２に表示させる。Ｓ１１５又はＳ１１９の後、制御部１０８は、別画像を再生するか否かを判定する（Ｓ１２０）。例えば何らかの操作がなされていない場合には別画像を再生すると判定する。また、ユーザの操作部１０４の操作によって別画像の再生指示（例えば一覧表示の再表示指示）がなされた場合も別画像を再生すると判定する。Ｓ１２０において、別画像を再生する場合に、制御部１０８は、Ｓ１１１以後の処理を行う。一方、Ｓ１２０において、別画像を再生しない場合に、制御部１０８は、再生モードを終了するか否かを判定する（Ｓ１２１）、例えば、再生モードから撮影モードへ切り替える操作がなされた場合や再生終了の操作がなされた場合に再生モードを終了すると判定する。Ｓ１２１において、再生モードを終了しない場合に、制御部１０８は、Ｓ１１１以後の処理を行う。また、Ｓ１２１において、再生モードを終了する場合に、制御部１０８は、Ｓ１０６以後の処理を行う。
【００２１】
Ｓ１０４、Ｓ１０５、Ｓ１０６、Ｓ１０７、Ｓ１１０の後、制御部１０８は、撮像装置１００の電源をオフするか否かを判定する（ステップＳ１２２）。例えば、操作部１０４の電源ボタンによって電源オフ指示がなされた場合に電源をオフすると判定する。この他、所定時間の間、操作部１０４の操作がなかった場合に電源をオフすると判定するようにしても良い。ステップＳ１２２の判定において、電源をオフしない場合に、制御部１０８は、処理をステップＳ１０１に移行させる。一方、ステップＳ１２２の判定において、電源をオフする場合に、制御部１０８は、図２の処理を終了させる。
【００２２】
以上説明したように、本実施形態では、アクセサリ装置２００が撮像装置１００に装着されている状態で外部装置３００から無線通信によってアクセサリ装置２００に画像ファイルの送信がなされた場合には、この送信された画像ファイルが撮像装置１００に送信される。そして、撮像装置１００に送信された画像ファイルは暗号化される。アクセサリ装置２００には暗号化された画像ファイルのみが記録され、暗号化された画像ファイルを復号するための暗号鍵は撮像装置１００に記録される。このため、外部装置３００から無線通信されてきた画像ファイルは、アクセサリ装置２００単独では再生することができない。これにより、外部装置３００のユーザが意図していない第３者にまで画像が公開される可能性を低減することが可能である。
【００２３】
ここで、図２の例では、撮像装置１００による撮影処理によって得られた画像ファイルについては暗号化をせずにアクセサリ装置２００に記録するようにしている。これに対し、撮像装置１００による撮影処理によって得られた画像ファイルについても暗号化を行ってからアクセサリ装置２００に記録するようにしても良い。
【００２４】
また、図２の例では、撮像装置１００において暗号化を行う例を説明している。これに対し、アクセサリ装置２００に暗号化部を持たせるようにすれば、アクセサリ装置２００内で暗号化を行うことも可能である。この場合のアクセサリ装置２００の制御を図３に示す。図３において、アクセサリ装置２００は、現在、撮像装置１００が接続されているか否かを判定している（Ｓ２０１）。Ｓ２０１において、撮像装置１００が接続されている場合に、アクセサリ装置２００は撮像装置１００からの画像ファイルを受けつける状態となる。この際、アクセサリ装置２００は、撮像装置１００から画像ファイルが受信されたか否かを判定する（Ｓ２０２）。Ｓ２０２において、撮像装置１００から画像ファイルが受信された場合に、アクセサリ装置２００は、受信された画像ファイルを記録部２０１に記録する（Ｓ２０３）。その後、処理がＳ２０１に戻る。
【００２５】
また、Ｓ２０１において撮像装置が接続されていない場合、又はＳ２０２において撮像装置１００から画像ファイルが受信されていない場合に、アクセサリ装置２００は、無線通信部２０３を介して外部装置３００から画像ファイルが受信されたか否かを判定する（Ｓ２０４）。Ｓ２０４において、外部装置３００から画像ファイルが受信されていない場合には処理がＳ２０１に戻る。また、Ｓ２０４において、外部装置３００から画像ファイルが受信されていない場合は、アクセサリ装置２００は、送信されてきた画像ファイルを暗号化部によって暗号化する（Ｓ２０５）。暗号化の後、アクセサリ装置２００は、暗号化した画像ファイルを記録部２０１に記録する（Ｓ２０６）。これにより、図２で説明したのと同様に、アクセサリ装置２００の記録部２０１には外部装置３００から受信された画像ファイルが暗号化された状態で記録される。暗号化した画像ファイルの記録後、アクセサリ装置２００は、現在、撮像装置１００が接続されているか否かを判定する（Ｓ２０７）。Ｓ２０７において、撮像装置１００が接続されていない場合には処理がＳ２０１に戻る。また、Ｓ２０７において、撮像装置１００が接続されている場合に、アクセサリ装置２００は撮像装置１００に暗号鍵を送信する（Ｓ２０８）。さらに、アクセサリ装置２００は、撮像装置１００に送信した暗号鍵を記録部２０１には記録せずに削除する（Ｓ２０９）。
【００２６】
以上説明したような変形例によっても、外部装置３００から無線通信されてきた画像ファイルは、アクセサリ装置２００単独では再生することができないため、外部装置３００のユーザが意図していない第３者にまで画像が公開される可能性を低減することが可能である。
【００２７】
以上実施形態に基づいて本発明を説明したが、本発明は上述した実施形態に限定されるものではなく、本発明の要旨の範囲内で種々の変形や応用が可能なことは勿論である。例えば、上述した例では外部装置３００から無線通信されてきた画像ファイルについては暗号化することを前提にしている。これに対し、外部装置３００のユーザが暗号化を望まない場合にはその旨を示す信号を画像ファイルとともに外部装置３００から送信できるようにしておき、この信号が受信された場合には画像ファイルの暗号化を行わないようにしても良い。
【符号の説明】
【００２８】
１００…撮像装置、１０１…撮像部、１０２…表示部、１０３…記録部、１０４…操作部、１０５…計時部、１０６…通信部、１０７…暗号化部、１０８…制御部、２００…アクセサリ装置、２０１…記録部、２０２…有線通信部、２０３…無線通信部
【図１】
2012023507.tif 000003
【図２】
2012023507.tif 000004
【図３】
2012023507.tif 000005